(57)【要約】【課題】本発明は、平均電力より高い電力のピーク信号を抑圧するにあたり、インパルス信号の帯域制限の回路規模を低減するとともに、隣接チャネル漏洩電力比を向上させる。【解決手段】ピーク抑圧回路Ｌは、ピーク強度が強度閥値より大きいピーク信号をマルチキャリア信号中に検出するピーク信号検出部４と、ピーク信号検出部４が検出したピーク信号のピーク時刻でのインパルス信号を生成するインパルス信号生成部５と、インパルス信号生成部５が生成したインパルス信号に対して、マルチキャリア信号を構成する各シングルキャリア信号の帯域の範囲内で帯域制限を行う複素ＦＩＲフィルタ部１３と、複素ＦＩＲフィルタ部１３での帯域制限後のインパルス信号をマルチキャリア信号から減算し、マルチキャリア信号中のピーク信号を抑圧するピーク信号抑圧部１０と、を備える。【選択図】図５
2014027343.tif 000002
【特許請求の範囲】
【請求項１】
ピーク強度が強度閥値より大きいピーク信号を入力信号中に検出し、検出した前記ピーク信号のピーク時刻でのインパルス信号を生成するインパルス信号生成部と、
前記インパルス信号生成部が生成した前記インパルス信号に対して、前記入力信号の帯域の範囲内で帯域制限を行う複素インパルス応答フィルタ部と、
前記複素インパルス応答フィルタ部での帯域制限後の前記インパルス信号を前記入力信号から減算し、前記入力信号中の前記ピーク信号を抑圧するピーク信号抑圧部と、
を備えることを特徴とするピーク抑圧回路。
【請求項２】
前記入力信号がマルチキャリア信号であるときに、前記インパルス信号生成部は、ピーク強度が強度閥値より大きい前記ピーク信号を前記マルチキャリア信号中に検出し、検出した前記ピーク信号のピーク時刻での前記インパルス信号を生成し、
前記複素インパルス応答フィルタ部は、前記インパルス信号生成部が生成した前記インパルス信号に対して、前記マルチキャリア信号を構成する各シングルキャリア信号の帯域の範囲内で帯域制限を行い、
前記ピーク信号抑圧部は、前記複素インパルス応答フィルタ部での帯域制限後の前記インパルス信号を前記マルチキャリア信号から減算し、前記マルチキャリア信号中の前記ピーク信号を抑圧することを特徴とする請求項１に記載のピーク抑圧回路。
【請求項３】
前記複素インパルス応答フィルタ部は、前記マルチキャリア信号の帯域が、予め設定された複数のシングルキャリア信号の帯域のうち、いずれのシングルキャリア信号の帯域を含むかに応じて、予め設定された複数のタップ係数のセットのうち、いずれかのタップ係数のセットを用いることを特徴とする請求項２に記載のピーク抑圧回路。
【発明の詳細な説明】
【技術分野】
【０００１】
本発明は、平均電力より高い電力のピーク信号を抑圧するピーク抑圧回路に関する。
【背景技術】
【０００２】
平均電力より高い電力のピーク信号を抑圧する特許文献１のピーク抑圧回路の構成を図１に示す。特許文献１のピーク抑圧回路Ｌは、複数キャリア周波数合成部１、ＮＣＯ（Ｎｕｍｅｒｉｃａｌ  Ｃｏｎｔｒｏｌｌｅｄ  Ｏｓｃｉｌｌａｔｏｒ）発生部２、ＩＱ二乗和計算部３、ピーク信号検出部４、インパルス信号生成部５、遅延回路６、キャリア毎重み付け部７、インパルス信号帯域制限部８、遅延回路９、ピーク信号抑圧部１０、遅延回路１１及び複数キャリア周波数合成部１２から構成される。
【０００３】
ピーク抑圧回路Ｌは、複数（図１では、ｎ＝１、２の２系列）のベースバンド信号Ｉｎｐｕｔ−ＩＱｎを入力され、マルチキャリア信号Ｏｕｔｐｕｔ−ＩＱを出力する。マルチキャリア信号Ｏｕｔｐｕｔ−ＩＱは、平均電力より高い電力のピーク信号を抑圧される。
【０００４】
複数キャリア周波数合成部１は、ベースバンド信号Ｉｎｐｕｔ−ＩＱｎを入力され、入力されたベースバンド信号Ｉｎｐｕｔ−ＩＱｎを利用して、ＮＣＯ発生部２から入力されたキャリア信号Ｆｎを変調し、変調したキャリア信号Ｆｎを合成して、マルチキャリア信号ＩＱを生成する。ＩＱ二乗和計算部３は、複数キャリア周波数合成部１から入力されたマルチキャリア信号ＩＱに対して、ＩＱ二乗和つまり信号電力Ａを計算する。
【０００５】
ピーク信号検出部４は、ＩＱ二乗和計算部３から入力された信号電力Ａの情報に対して、サンプリングを実行して、ピーク強度が強度閥値より大きいピーク信号Ｐを検出する。インパルス信号生成部５は、ピーク信号検出部４から入力されたピーク信号Ｐに対して、ピーク信号Ｐのピーク時刻でのインパルス信号Ｉを生成する。インパルス信号Ｉの信号強度は、強度閥値をピーク強度から減算した信号強度に比例する。
【０００６】
キャリア毎重み付け部７は、インパルス信号生成部５から入力されたインパルス信号Ｉに対して、（各ベースバンド信号ＩＱｎの信号強度）／（マルチキャリア信号ＩＱの信号強度）に比例する、各ベースバンド信号ＩＱｎに適用される各インパルス信号Ｉｎを計算する。遅延回路６は、ベースバンド信号Ｉｎｐｕｔ−ＩＱｎを入力され、複数キャリア周波数合成部１、ＩＱ二乗和計算部３、ピーク信号検出部４及びインパルス信号生成部５での処理時間だけ、ベースバンド信号ＩＱｎをキャリア毎重み付け部７に遅延出力する。
【０００７】
インパルス信号帯域制限部８は、キャリア毎重み付け部７から入力された各インパルス信号Ｉｎに対して、各ベースバンド信号ＩＱｎの帯域の範囲内で帯域制限を行って、各ベースバンド信号ＩＱｎに適用される各インパルス信号ＬＩｎを計算する。
【０００８】
ピーク信号抑圧部１０は、インパルス信号帯域制限部８から入力された各インパルス信号ＬＩｎを各ベースバンド信号ＩＱｎから減算して、強度を抑圧した各ベースバンド信号ＬＩＱｎを計算する。遅延回路９は、ベースバンド信号Ｉｎｐｕｔ−ＩＱｎを入力され、遅延回路６、キャリア毎重み付け部７及びインパルス信号帯域制限部８での処理時間だけ、ベースバンド信号ＩＱｎをピーク信号抑圧部１０に遅延出力する。
【０００９】
複数キャリア周波数合成部１２は、ピーク信号抑圧部１０から入力されたベースバンド信号ＬＩＱｎを利用して、ＮＣＯ発生部２から後述する遅延回路１１を介して入力されたキャリア信号Ｆｎを変調し、変調したキャリア信号Ｆｎを合成して、マルチキャリア信号Ｏｕｔｐｕｔ−ＩＱを生成する。遅延回路１１は、ＮＣＯ発生部２からキャリア信号Ｆｎを入力され、遅延回路９及びピーク信号抑圧部１０の処理時間だけ、キャリア信号Ｆｎを複数キャリア周波数合成部１２に遅延出力する。
【００１０】
ここで、他の技術として、各ベースバンド信号ＩＱｎに対してピーク信号を検出することも考えられる。しかし、他の技術では、各ベースバンド信号ＩＱｎでは、ピーク信号が抑圧されたとしても、マルチキャリア信号Ｏｕｔｐｕｔ−ＩＱでは、ピーク信号が抑圧されないことが考えられる。そこで、特許文献１では、マルチキャリア信号ＩＱに対してピーク信号を検出するのである。よって、最大電力対平均電力比（ＰＡＰＲ：Ｐｅａｋ−ｔｏ−Ａｖｅｒａｇｅ  Ｐｏｗｅｒ  Ｒａｔｉｏ）が改善される。
【００１１】
そして、特許文献１では、各インパルス信号Ｉｎに対して、各ベースバンド信号ＩＱｎの帯域の範囲内で、帯域制限を行う。よって、隣接チャネル漏洩電力比が改善される。
【００１２】
特許文献１のピーク抑圧の処理を図２に示す。図２では、ピーク抑圧回路Ｌは、４系列（ｎ＝１、２、３、４）のベースバンド信号Ｉｎｐｕｔ−ＩＱｎを入力され、マルチキャリア信号Ｏｕｔｐｕｔ−ＩＱを出力する。
【００１３】
図２の左から１列目に示した信号は、ピーク信号抑圧部１０でのピーク抑圧前のベースバンド信号ＩＱｎである。図２の左から２列目に示した信号は、インパルス信号帯域制限部８での帯域制限後のインパルス信号ＬＩｎである。図２の左から３列目に示した信号は、ピーク信号抑圧部１０でのピーク抑圧後のベースバンド信号ＬＩＱｎである。
【００１４】
図２の左から４列目に示した信号は、複数キャリア周波数合成部１２が出力するマルチキャリア信号Ｏｕｔｐｕｔ−ＩＱである。各ベースバンド信号ＬＩＱｎ（ｎ＝１、２、３、４）は、それぞれ各帯域Δｆｎ（ｎ＝１、２、３、４）を用いて、変調／送信される。
【００１５】
特許文献１では、インパルス信号帯域制限部８として、ＦＩＲ（Ｆｉｎｉｔｅ  Ｉｍｐｕｌｓｅ  Ｒｅｓｐｏｎｓｅ）フィルタを適用することができる。このとき、インパルス信号Ｉｎをラッチするインパルスラッチ回路と、インパルス信号Ｉｎにタップ係数を乗算する乗算回路は、それぞれ、｛（帯域Δｆｎの領域数）×２（“２”は、Ｉ成分及びＱ成分のそれぞれに対して、１回路が必要であることを示す。）×（同時刻に処理可能なピーク信号の上限数）｝個も必要となる。また、特許文献１では、複数キャリア周波数合成部１、１２において、マルチキャリア信号を２回も生成する必要がある。
【先行技術文献】
【特許文献】
【００１６】
【特許文献１】特開２０１０−０５０７６５号公報
【発明の概要】
【発明が解決しようとする課題】
【００１７】
平均電力より高い電力のピーク信号を抑圧する解決課題のピーク抑圧回路の構成を図３に示す。解決課題のピーク抑圧回路Ｌは、複数キャリア周波数合成部１、ＮＣＯ発生部２、ＩＱ二乗和計算部３、ピーク信号検出部４、インパルス信号生成部５、インパルス信号帯域制限部８、遅延回路９及びピーク信号抑圧部１０から構成される。
【００１８】
複数キャリア周波数合成部１、ＮＣＯ発生部２、ＩＱ二乗和計算部３、ピーク信号検出部４及びインパルス信号生成部５の処理は、解決課題及び特許文献１で同様である。
【００１９】
インパルス信号帯域制限部８は、マルチキャリア信号ＩＱが１個のシングルキャリア信号から構成されるとみなし、インパルス信号生成部５から入力されたインパルス信号Ｉに対して、図４に後述のように帯域制限を行って、インパルス信号ＬＩを計算する。
【００２０】
ピーク信号抑圧部１０は、インパルス信号帯域制限部８から入力されたインパルス信号ＬＩをマルチキャリア信号ＩＱから減算して、ピーク信号を抑圧したマルチキャリア信号Ｏｕｔｐｕｔ−ＩＱを生成する。遅延回路９は、マルチキャリア信号ＩＱを複数キャリア周波数合成部１から入力され、ＩＱ二乗和計算部３、ピーク信号検出部４、インパルス信号生成部５及びインパルス信号帯域制限部８での処理時間だけ、マルチキャリア信号ＩＱをピーク信号抑圧部１０に遅延出力する。
【００２１】
解決課題のピーク抑圧の処理を図４に示す。図４では、ピーク抑圧回路Ｌは、１系列（ｎ＝２）のベースバンド信号Ｉｎｐｕｔ−ＩＱｎを入力されることなく、３系列（ｎ＝１、３、４）のベースバンド信号Ｉｎｐｕｔ−ＩＱｎを入力されたうえで、マルチキャリア信号Ｏｕｔｐｕｔ−ＩＱを出力する。
【００２２】
図４の左から１番目に示した信号は、ピーク信号抑圧部１０でのピーク抑圧前のマルチキャリア信号ＩＱである。図４の左から２番目に示した信号は、インパルス信号帯域制限部８での帯域制限後のインパルス信号ＬＩである。図４の左から３番目に示した信号は、ピーク信号抑圧部１０でのピーク抑圧後のマルチキャリア信号Ｏｕｔｐｕｔ−ＩＱである。各ベースバンド信号Ｉｎｐｕｔ−ＩＱｎ（ｎ＝１、３、４）は、それぞれ各帯域Δｆｎ（ｎ＝１、３、４）を用いて、変調／送信される。
【００２３】
解決課題では、インパルス信号帯域制限部８として、ＦＩＲフィルタを適用することができる。このとき、インパルス信号Ｉをラッチするインパルスラッチ回路と、インパルス信号Ｉにタップ係数を乗算する乗算回路は、それぞれ、｛１（“１”は、マルチキャリア信号ＩＱに対して、処理を行うことを示す。）×２（“２”は、Ｉ成分及びＱ成分のそれぞれに対して、１回路が必要であることを示す。）×（同時刻に処理可能なピーク信号の上限数）｝個あればよい。また、解決課題では、複数キャリア周波数合成部１において、マルチキャリア信号を１回生成すればよい。
【００２４】
解決課題では、インパルス信号帯域制限部８は、マルチキャリア信号ＩＱが１個のシングルキャリア信号から構成されるとみなし、インパルス信号Ｉに対して、帯域制限を行って、インパルス信号ＬＩを計算する。すると、ピーク抑圧前のマルチキャリア信号ＩＱにおいて、帯域Δｆ２での歯抜けを設定したとしても、帯域制限後のインパルス信号ＬＩにおいて、帯域Δｆ２での信号が生じるため、ピーク抑圧後のマルチキャリア信号Ｏｕｔｐｕｔ−ＩＱにおいて、帯域Δｆ２での歯抜けを反映させることができない。よって、隣接帯域Δｆｎから帯域Δｆ２への隣接チャネル漏洩電力比を向上させることができない。
【００２５】
そこで、前記課題を解決するために、本発明は、平均電力より高い電力のピーク信号を抑圧するピーク抑圧回路において、インパルス信号の帯域制限の回路規模を低減するとともに、隣接チャネル漏洩電力比を向上させることを目的とする。
【課題を解決するための手段】
【００２６】
上記目的を達成するために、複素インパルス応答フィルタを用いて、入力信号の帯域の範囲内で、インパルス信号の帯域制限を行うこととした。
【００２７】
本発明は、ピーク強度が強度閥値より大きいピーク信号を入力信号中に検出し、検出した前記ピーク信号のピーク時刻でのインパルス信号を生成するインパルス信号生成部と、前記インパルス信号生成部が生成した前記インパルス信号に対して、前記入力信号の帯域の範囲内で帯域制限を行う複素インパルス応答フィルタ部と、前記複素インパルス応答フィルタ部での帯域制限後の前記インパルス信号を前記入力信号から減算し、前記入力信号中の前記ピーク信号を抑圧するピーク信号抑圧部と、を備えることを特徴とするピーク抑圧回路である。
【００２８】
この構成によれば、入力信号がマルチキャリア信号であるときには、インパルス信号の帯域制限の回路規模を低減するとともに、隣接チャネル漏洩電力比を向上できる。また、入力信号がシングルキャリア信号であるときでも、本発明は適用可能である。
【００２９】
また、本発明は、前記入力信号がマルチキャリア信号であるときに、前記インパルス信号生成部は、ピーク強度が強度閥値より大きい前記ピーク信号を前記マルチキャリア信号中に検出し、検出した前記ピーク信号のピーク時刻での前記インパルス信号を生成し、前記複素インパルス応答フィルタ部は、前記インパルス信号生成部が生成した前記インパルス信号に対して、前記マルチキャリア信号を構成する各シングルキャリア信号の帯域の範囲内で帯域制限を行い、前記ピーク信号抑圧部は、前記複素インパルス応答フィルタ部での帯域制限後の前記インパルス信号を前記マルチキャリア信号から減算し、前記マルチキャリア信号中の前記ピーク信号を抑圧することを特徴とするピーク抑圧回路である。
【００３０】
この構成によれば、入力信号がマルチキャリア信号であるときには、インパルス信号の帯域制限の回路規模を低減するとともに、隣接チャネル漏洩電力比を向上できる。
【００３１】
また、本発明は、前記複素インパルス応答フィルタ部は、前記マルチキャリア信号の帯域が、予め設定された複数のシングルキャリア信号の帯域のうち、いずれのシングルキャリア信号の帯域を含むかに応じて、予め設定された複数のタップ係数のセットのうち、いずれかのタップ係数のセットを用いることを特徴とするピーク抑圧回路である。
【００３２】
この構成によれば、マルチキャリア信号における帯域の歯抜けのパターンに応じて、隣接チャネル漏洩電力比を向上できるタップ係数のセットを用いる。
【発明の効果】
【００３３】
本発明は、平均電力より高い電力のピーク信号を抑圧するピーク抑圧回路において、インパルス信号の帯域制限の回路規模を低減するとともに、隣接チャネル漏洩電力比を向上させることができる。
【図面の簡単な説明】
【００３４】
【図１】従来技術のピーク抑圧回路の構成を示す図である。
【図２】従来技術のピーク抑圧の処理を示す図である。
【図３】解決課題のピーク抑圧回路の構成を示す図である。
【図４】解決課題のピーク抑圧の処理を示す図である。
【図５】本発明のピーク抑圧回路の構成を示す図である。
【図６】本発明のピーク抑圧の処理を示す図である。
【発明を実施するための形態】
【００３５】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３６】
平均電力より高い電力のピーク信号を抑圧する本発明のピーク抑圧回路の構成を図５に示す。本発明のピーク抑圧回路Ｌは、複数キャリア周波数合成部１、ＮＣＯ発生部２、ＩＱ二乗和計算部３、ピーク信号検出部４、インパルス信号生成部５、遅延回路９、ピーク信号抑圧部１０、複素ＦＩＲフィルタ部１３及びタップ係数記憶部１４から構成される。
【００３７】
複数キャリア周波数合成部１、ＮＣＯ発生部２、ＩＱ二乗和計算部３、ピーク信号検出部４及びインパルス信号生成部５の処理は、本発明及び特許文献１で同様である。
【００３８】
複素ＦＩＲフィルタ部１３は、マルチキャリア信号ＩＱが複数のシングルキャリア信号から構成されると考えて、インパルス信号生成部５から入力されたインパルス信号Ｉに対して、図６に後述のように帯域制限を行って、インパルス信号ＬＩを計算する。
【００３９】
ピーク信号抑圧部１０は、複素ＦＩＲフィルタ部１３から入力されたインパルス信号ＬＩをマルチキャリア信号ＩＱから減算して、ピーク信号を抑圧したマルチキャリア信号Ｏｕｔｐｕｔ−ＩＱを生成する。遅延回路９は、マルチキャリア信号ＩＱを複数キャリア周波数合成部１から入力され、ＩＱ二乗和計算部３、ピーク信号検出部４、インパルス信号生成部５及び複素ＦＩＲフィルタ部１３での処理時間だけ、マルチキャリア信号ＩＱをピーク信号抑圧部１０に遅延出力する。タップ係数記憶部１４については、後述する。
【００４０】
本発明のピーク抑圧の処理を図６に示す。図６では、ピーク抑圧回路Ｌは、１系列（ｎ＝２）のベースバンド信号Ｉｎｐｕｔ−ＩＱｎを入力されることなく、３系列（ｎ＝１、３、４）のベースバンド信号Ｉｎｐｕｔ−ＩＱｎを入力されたうえで、マルチキャリア信号Ｏｕｔｐｕｔ−ＩＱを出力する。
【００４１】
図６の左から１番目に示した信号は、ピーク信号抑圧部１０でのピーク抑圧前のマルチキャリア信号ＩＱである。図６の左から２番目に示した信号は、複素ＦＩＲフィルタ部１３での帯域制限後のインパルス信号ＬＩである。図６の左から３番目に示した信号は、ピーク信号抑圧部１０でのピーク抑圧後のマルチキャリア信号Ｏｕｔｐｕｔ−ＩＱである。各ベースバンド信号Ｉｎｐｕｔ−ＩＱｎ（ｎ＝１、３、４）は、それぞれ各帯域Δｆｎ（ｎ＝１、３、４）を用いて、変調／送信される。
【００４２】
本発明では、インパルス信号の帯域制限において、複素ＦＩＲフィルタ部１３を適用する。このとき、インパルス信号Ｉをラッチするインパルスラッチ回路と、インパルス信号Ｉにタップ係数を乗算する乗算回路は、それぞれ、｛１（“１”は、マルチキャリア信号ＩＱに対して、処理を行うことを示す。）×４（“４”は、Ｉ成分及びＱ成分のそれぞれに対して、２回路が必要であることを示す。）×（同時刻に処理可能なピーク信号の上限数）｝個あればよい。また、本発明では、複数キャリア周波数合成部１において、マルチキャリア信号を１回生成すればよい。
【００４３】
図６のように４個の帯域Δｆ１、Δｆ２、Δｆ３、Δｆ４を考えるときに、特許文献１、解決課題及び本発明において、同時刻に処理可能なピーク信号の上限数を同一に設定したうえで、インパルス信号の帯域制限の回路規模を比較する。特許文献１では、インパルスラッチ回路及び乗算回路は、それぞれ、４×２＝８に比例する個数だけ必要である。解決課題では、インパルスラッチ回路及び乗算回路は、それぞれ、１×２＝２に比例する個数だけ必要である。本発明では、インパルスラッチ回路及び乗算回路は、それぞれ、１×４＝４に比例する個数だけ必要である。
【００４４】
このように、本発明では、多数の帯域Δｆｎを考えるほど、隣接チャネル漏洩電力比を犠牲にすることなく、インパルス信号の帯域制限の回路規模を低減することができる。
【００４５】
本発明では、複素ＦＩＲフィルタ部１３は、マルチキャリア信号ＩＱが複数のシングルキャリア信号から構成されると考えて、インパルス信号Ｉに対して、帯域制限を行って、インパルス信号ＬＩを計算する。すると、ピーク抑圧前のマルチキャリア信号ＩＱにおいて、帯域Δｆ２での歯抜けを設定したならば、帯域制限後のインパルス信号ＬＩにおいて、帯域Δｆ２での信号が生じないため、ピーク抑圧後のマルチキャリア信号Ｏｕｔｐｕｔ−ＩＱにおいて、帯域Δｆ２での歯抜けを反映させることができる。よって、隣接帯域Δｆｎから帯域Δｆ２への隣接チャネル漏洩電力比を向上させることができる。
【００４６】
図６のように４個の帯域Δｆ１、Δｆ２、Δｆ３、Δｆ４を考えるときに、タップ係数記憶部１４は、マルチキャリア信号ＩＱにおける、２４−２＝１４通りの帯域の歯抜けのパターンに応じた、隣接チャネル漏洩電力比を向上できる、２４−２＝１４通りのタップ係数Ｔのセットを記憶する。ここで、“２４”は、各帯域Δｆｎで歯抜けがあるかないかの全パターンを考えたことを示す。そして、“−２”は、全帯域Δｆｎで歯抜けがあるパターン及び全帯域Δｆｎで歯抜けがないパターンを除いたことを示す。複素ＦＩＲフィルタ部１３は、帯域の歯抜けのパターンに応じて、タップ係数Ｔのセットを用いる。
【００４７】
このように、本発明では、例えば、ＬＴＥ（Ｌｏｎｇ  Ｔｅｒｍ  Ｅｖｏｌｕｔｉｏｎ）での通信事業者への周波数帯域の割り当てパターンに応じて、隣接チャネル漏洩電力比を向上させたうえで、平均電力より高い電力のピーク信号を抑圧することができる。
【００４８】
以上の実施形態では、ピーク抑圧回路Ｌは、マルチキャリア信号を出力しているが、以下の変形例として、ピーク抑圧回路Ｌは、シングルキャリア信号を出力してもよい。このとき、複数キャリア周波数合成部１は不要である。そして、ＮＣＯ発生部２は、マルチキャリア信号に対応する必要はなく、シングルキャリア信号に対応できればよい。
【産業上の利用可能性】
【００４９】
本発明に係るピーク抑圧回路は、マルチキャリア信号又はシングルキャリア信号の送信装置において、平均電力より高い電力のピーク信号を抑圧するにあたり、インパルス信号の帯域制限の回路規模を低減するとともに、隣接チャネル漏洩電力比を向上させる。
【符号の説明】
【００５０】
Ｌ：ピーク抑圧回路
１：複数キャリア周波数合成部
２：ＮＣＯ発生部
３：ＩＱ二乗和計算部
４：ピーク信号検出部
５：インパルス信号生成部
６：遅延回路
７：キャリア毎重み付け部
８：インパルス信号帯域制限部
９：遅延回路
１０：ピーク信号抑圧部
１１：遅延回路
１２：複数キャリア周波数合成部
１３：複素ＦＩＲフィルタ部
１４：タップ係数記憶部
【図１】
2014027343.tif 000003
【図２】
2014027343.tif 000004
【図３】
2014027343.tif 000005
【図４】
2014027343.tif 000006
【図５】
2014027343.tif 000007
【図６】
2014027343.tif 000008